(57)【要約】【課題】透過型の表示パネルの画像表示面を隠さずに、かつ外光の影響を極力排除して画像表示面の輝度や色を測定できる構造を備える画像表示装置を提供する。【解決手段】液晶表示パネル３を支持するフロントベゼルは開口部３１を有し、開口部３１は液晶表示パネル３を透過した光を開口部３１内に取り入れる。開口部３１内には、受光部２１と、楕円ミラー５５が備えられる。受光部２１の受光面６６には楕円ミラー５５の一方の焦点６５が形成され、液晶表示パネル３の画像表示面３７上には他方の焦点７５が形成される。楕円ミラー５５は、液晶表示パネル３を透過した光のうち、他方の焦点７５を透過した光のみを反射して、受光面６６上の一方の焦点６５に入射させる。【選択図】図６
2011095600.tif 000002
【特許請求の範囲】
【請求項１】
画像を表示し、光を測定して画質を調整する機能を有する画像表示装置において、
画像を表示するための透過型の表示パネルと、
前記透過型の表示パネルを支持し、前記透過型の表示パネルを透過した光を取り入れる開口部を有する支持部材と、
前記開口部内に配設され、前記光を検知する光センサと、
前記光センサを一方の焦点とし、前記透過型の表示パネル上の一点を他方の焦点とする楕円面を有し、前記楕円面が光反射材料で形成されている光学手段と、
を備えることを特徴とする画像表示装置。
【請求項２】
請求項１記載の画像表示装置において、
前記開口部は、前記透過型の表示パネル上で画像が表示される画像表示面よりも外側に配設されることを特徴とする画像表示装置。
【請求項３】
請求項１または２に記載の画像表示装置において、
前記開口部内に配設され、前記透過型の表示パネルを透過した光を透過する偏光板を備えることを特徴とする画像表示装置。
【請求項４】
請求項１ないし３のいずれかに記載の画像表示装置において、
前記開口部の入口に配設され、前記開口部の内と外とを遮る光透過性の遮蔽部材を備えることを特徴とする画像表示装置。
【請求項５】
画像表示装置の画質を調整するための光を測定する測光装置において、
前記画像表示装置の透過型の表示パネルを透過した光を取り入れる開口部を有する筺体と、
前記開口部内に配設され、前記光を検知する光センサと、
前記光センサを一方の焦点とし、前記透過型の表示パネル上の一点を他方の焦点とする楕円面を有し、前記楕円面が光反射材料で形成されている光学手段と、
を備えることを特徴とする測光装置。
【発明の詳細な説明】
【技術分野】
【０００１】
この発明は、光を測定して画質を調整する機能を有する画像表示装置及び測光装置に係り、特に、光を測定する機構を画像表示装置に組み込む技術に関する。
【背景技術】
【０００２】
従来のこの種の装置として、液晶表示装置を例に挙げて説明する。液晶表示装置は、画像が表示されるアクティブディスプレイ領域を有するＬＣＤパネルと、ＬＣＤパネルを固定するＬＣＤパネルベゼルと、ＬＣＤパネルを代表する部分からの光出力の光学的測定を行う光学センサユニットとを備える（例えば、特許文献１参照）。光学センサユニットは、ＬＣＤパネルを透過する光の輝度や色を測定する。この光学センサユニットは、光学的開口と、フォトダイオードセンサと、その中間にＰＭＭＡ（ポリペタクリル酸メチル）構造の光ガイドを備え、永久的にまたは着脱可能にアクティブディスプレイ領域に（またはこれに隣接して）固定される。また、光ガイドの一部とフォトダイオードセンサとがＬＣＤパネルベゼルの内部に配設される光学センサユニットも開示される。
【０００３】
また、測光時に液晶表示装置正面に移動され、バックライトからの光を測定し、測光が終わればベゼル内に格納される測光装置を備える液晶表示装置がある（例えば、特許文献２参照）。また、液晶パネル背面側の反射板の一部に穴を開けて、バックライトからの光をその穴から直接測定する測光装置も開示される。
【先行技術文献】
【特許文献】
【０００４】
【特許文献１】特開２００３−９０７８０号公報（第６頁、図１、図６）
【特許文献２】特開２００７−１９３３５５号公報（第３−４頁、第８頁、図３、図７）
【発明の概要】
【発明が解決しようとする課題】
【０００５】
しかしながら、このような構成を有する従来例の場合には、次のような問題がある。すなわち、従来の装置では、測光時において常時液晶表示面の一部を測光装置が覆うので、測光時に液晶表示面に画像を表示できないか、表示できても画像が測光装置に遮られる。また、液晶表示面を透過した光を測定する場合、測光装置の光学的開口を液晶表示面に近づけるなどしなければ、外光が入射してしまい正確な測光ができない。さらに、液晶パネル背面側の反射板の一部に開けられた穴から漏れるバックライトからの光を測光する場合、バックライトからの光を直接測光できても、液晶表示面を透過した光を測定することができない。
【０００６】
この発明は、このような事情に鑑みてなされたものであって、透過型の表示パネルの画像表示面を隠さずに、かつ外光の影響を極力排除して画像表示面の輝度や色を測定できる構造を備える画像表示装置及び測光装置を提供することを目的とする。
【課題を解決するための手段】
【０００７】
この発明は、このような目的を達成するために、次のような構成をとる。
すなわち、請求項１に記載の発明は、画像を表示し、光を測定して画質を調整する機能を有する画像表示装置において、画像を表示するための透過型の表示パネルと、前記透過型の表示パネルを支持し、前記透過型の表示パネルを透過した光を取り入れる開口部を有する支持部材と、前記開口部内に配設され、前記光を検知する光センサと、前記光センサを一方の焦点とし、前記透過型の表示パネル上の一点を他方の焦点とする楕円面を有し、前記楕円面が光反射材料で形成されている光学手段とを備えることを特徴とするものである。
【０００８】
［作用・効果］請求項１に記載の発明によれば、透過型の表示パネルを支持する支持部材は、透過型の表示パネルを透過した光を取り入れる開口部を有する。開口部内には、この光を検知する光センサと、光反射材料で形成されている楕円面を有する光学手段とが備えられる。光学手段の楕円面は、一方の焦点を光センサに設け、他方の焦点を透過型の表示パネル上の一点に設けてあるので、透過型の表示パネルを透過した光のうち、焦点を形成する一点を透過した光のみが光学手段によって反射され、光センサに入射する。これにより、透過型の表示パネルの画像表示面を隠さずに、かつ外光の影響を極力排除して画像表示面の輝度や色を測定できる。
【０００９】
また、この発明において、前記開口部は、前記透過型の表示パネル上で画像が表示される画像表示面よりも外側に配設されることが好ましい。これにより、画像表示面の輝度や色を測定する際に、透過型の表示パネルの画像表示面が隠される恐れがなくなる。
【００１０】
また、この発明において、前記開口部内に配設され、前記透過型の表示パネルを透過した光を透過する偏光板を備えることが好ましい。これにより、偏光板は透過型の表示パネルを透過した光を透過するが、透過型の表示パネルを透過した光と異なる偏光特性を有する外光を透過しない。これにより、光学手段によっては排除しきれない外光、すなわち透過型の表示パネル上の焦点で反射して光学手段に入射する外光の影響を極力排除して画像表示面の輝度や色を測定できる。
【００１１】
また、この発明において、前記開口部の入口に配設され、前記開口部の内と外とを遮る光透過性の遮蔽部材を備えることが好ましい。これにより、開口部の外部の塵芥が開口部の内部に侵入して、光学手段を構成する光反射部材に付着することにより、光反射部材の反射率が低下するのを抑制できる。
【００１２】
請求項６記載の発明は、画像表示装置の画質を調整するための光を測定する測光装置において、前記画像表示装置の透過型の表示パネルを透過した光を取り入れる開口部を有する筺体と、前記開口部内に配設され、前記光を検知する光センサと、前記光センサを一方の焦点とし、前記透過型の表示パネル上の一点を他方の焦点とする楕円面を有し、前記楕円面が光反射材料で形成されている光学手段とを備えることを特徴とする。
【００１３】
［作用・効果］請求項６に記載の発明によれば、画像表示装置の画質を調整するための光を測定する測光装置は、透過型の表示パネルを透過した光を取り入れる開口部を有する。筺体の開口部内には、この光を検知する光センサと、光反射材料で形成されている楕円面を有する光学手段とが備えられる。光学手段の楕円面は、一方の焦点を光センサに設け、他方の焦点を透過型の表示パネル上の一点に設けてあるので、透過型の表示パネルを透過した光のうち、焦点を形成する一点を透過した光のみが光学手段によって反射され、光センサに入射する。これにより、透過型の表示パネルの画像表示面を隠さずに、かつ外光の影響を極力排除して画像表示面の輝度や色を測定できる。
【発明の効果】
【００１４】
この発明に係る画像表示装置によれば、透過型の表示パネルを透過した光のうち、焦点を形成する一点を透過した光のみが楕円面を有する光学手段によって反射され、開口部内の光センサに入射する。これにより、透過型の表示パネルの画像表示面を隠さずに、かつ外光の影響を極力排除して画像表示面の輝度や色を測定できる。
【図面の簡単な説明】
【００１５】
【図１】実施例に係る液晶表示装置の外観斜視図である。
【図２】採光部の概略構成を示す分解斜視図である。
【図３】採光部の概略構成を示す縦断面図である。
【図４】楕円ミラーの楕円面を説明する模式図である。
【図５】楕円ミラーの楕円面を構成する楕円を説明する模式図である。
【図６】液晶表示パネルを透過する光の光路と入射角を説明する模式図である。
【図７】液晶表示パネルの画像表示面に入射する外光の入射角度と偏光成分の反射率との関係を説明する図である。
【図８】変形例に係る楕円ミラーの楕円面を説明する別の模式図である。
【図９】変形例に係る測光装置を備える液晶表示装置の概略構成を説明する外観斜視図である。
【発明を実施するための最良の形態】
【００１６】
以下、図面を参照してこの発明の一実施例を説明する。
図１は、実施例に係る液晶表示装置１の外観斜視図であり、図２は、採光部７の概略構成を示す分解斜視図である。図３は、採光部７の概略構成を示す縦断面図であり、図４は、楕円ミラー５５の楕円面を説明する模式図である。図５は、楕円ミラー５５の楕円面を構成する楕円を説明する模式図であり、図６は、液晶表示パネル３を透過する光の光路と入射角を説明する模式図である。図７は、液晶表示パネル３の画像表示面３７に入射する外光の入射角度と偏光成分の反射率との関係を説明する図である。
【００１７】
本実施例に係る液晶表示装置１は、図１に示すように、透過型の液晶表示パネル３と、液晶表示パネル３の四辺を囲むフロントベゼル５と、フロントベゼル５の一部を構成する採光部７とを備える。なお、上述した液晶表示装置１が本発明の画像表示装置に相当し、透過型の液晶表示パネル３が本発明の透過型の表示パネルに相当する。また、上述したフロントベゼル５が本発明の支持部材に相当する。
【００１８】
採光部７は、図２に示すように、フロントベゼル５の一辺に形成される切り欠き部１１と、切り欠き部１１を覆い、採光窓１３を有する蓋部１５と、隆起部１７を有する薄板状のプラスチック部材１９と、薄板状の基板の上に突起状の受光部２１を有するセンサ基板２３とで構成される。蓋部１５とプラスチック部材１９とセンサ基板２３とはネジ２５で結合され、これらを備える採光部７はフロントベゼル５に嵌め込まれる。なお、上述した受光部２１がこの発明の光センサに相当する。
【００１９】
また、採光部７は、図３に示すように、縦断面（液晶表示パネル３に対して垂直方向）から見ると、液晶表示パネル３に近い側から順に、センサ基板２３とプラスチック部材１９と蓋部１５とが積層される。採光部７は、その内部がセンサ基板２３と蓋部１５とによって形成される開口部３１として構成される。蓋部１５の採光窓１３は開口部３１の開口として構成される。採光部７の下側には、フロントベゼル５および液晶表示パネル３が配設される。液晶表示パネル３は、フロントベゼル５に支持される領域が画像非表示領域３３として形成され、画像非表示領域３３を挟んで画像表示領域３５が形成される。画像表示領域３５の前面は、画像表示面３７を構成する。本実施例では、画像表示面３７および画像表示領域３５の前面には保護パネル３９が配設されるが、保護パネル３９が配設されない構成であってもよい。なお、上述した開口部３１はこの発明の開口部に相当する。
【００２０】
採光窓１３は、画像表示面３７よりも外側、すなわち画像表示領域３５に重ならない位置に配設される。採光窓１３には、開口部３１の内部と外部とを遮断する光透過性の樹脂、例えばアクリル樹脂で形成される遮蔽部材５１が配設される。採光窓１３から見て遮蔽部材５１の奥側には、液晶表示パネル３を透過した光のみを透過する偏光特性を有する偏光フィルムで構成される偏光板５３が配設される。遮蔽部材５１は、偏光板５３の強度が弱いので、偏光板５３の補強部材としての機能も有する。採光窓１３から見て偏光板５３の奥側には、プラスチック部材１９の隆起部１７が配設される。なお、偏光板５３はこの発明の偏光板に相当する。
【００２１】
楕円ミラー５５は、図４に示すように、長軸５９を中心に楕円を３６０度回転させて形成される回転楕円体６１の楕円面の一部６３から構成されている。この回転楕円体６１の楕円面の一部６３は、プラスチック部材１９の隆起部１７の内面形状に相当する。上述した楕円ミラー５５はこの発明の光学手段に相当する。
【００２２】
また、楕円ミラー５５は、図５に示すように、その一方の焦点６５が受光部２１の受光面６６に位置するように、かつ、その他方の焦点７５が液晶表示パネル３の画像表示面３７上の一点に位置するように配設される。楕円ミラー５５の入射面７１は、画像表示面３７に対して垂直である。
【００２３】
次に、図６を参照する。楕円ミラー５５の楕円面６３（前述の回転楕円体６１の楕円面の一部６３に同じ。）は、プラスチック部材１９を構成するプラスチック層８１と、液晶表示パネル３の画像表示面３７を透過した光を反射する光反射部材、例えばアルミニウム膜８３とで構成される。
【００２４】
アルミニウム膜８３は、プラスチック層８１の下面（センサ基板２３側の面）の太い一重線８４で示す範囲に蒸着され、その下面は反射面８５を構成する。アルミニウム膜８３に塵芥が付着すると、アルミニウム膜８３の反射率が低下する恐れがあるが、本実施例では採光窓１３に遮蔽部材５１を配設することで、塵芥の侵入を防ぎ、アルミニウム膜８３の反射率低下を抑制している。なお、プラスチック部材１９と偏光板５３、およびセンサ基板２３とで囲まれる空間は空気層である。
【００２５】
ここで、太い一重線８４で示す範囲とは、画像表示面３７上の他方の焦点７５を透過した光（以下、透過光という。）のうち、後述する特定の角度の範囲８７で他方の焦点７５を透過する透過光Ｌ１，Ｌ２，Ｌ３のみがあたる範囲である。一方、太い破線８６で示す範囲には、アルミニウム膜８３が蒸着されないか、もしくは、アルミニウム膜８３に重ねて光吸収材料、例えば黒色塗装が施される。
【００２６】
画像表示面３７上の他方の焦点７５を特定の角度で透過した透過光Ｌ１，Ｌ２，Ｌ３は、楕円ミラー５５の入射面７１から入射し、反射面８５で反射され、受光部２１の受光面６６上の一方の焦点６５に集光し、受光部２１によって検知される。
【００２７】
一方、他方の焦点７５を特定の角度の範囲８７外の角度で透過する透過光Ｌ４は、センサ基板２３等で遮られて楕円ミラー５５の入射面７１内に入射することはできない。たとえセンサ基板２３等で遮られることなく、楕円ミラー５５の入射面７１に入射したとしても、反射面８５にあたらず、太い破線８６で示す範囲にあたるので、受光部２１の受光面６６上の一方の焦点６５に集光することはない。すなわち、受光部２１によって検知されない。
【００２８】
偏光板５３は、透過光と同じ偏光特性を有する光のみを透過する偏光特性を有する。図示されない外部光源から直接開口部３１に入射する外光（以下、直接光という。）Ｌ５は、蓋部１５等によって遮られて開口部３１内に入りにくいようになっているが、それでもなお直接光Ｌ５が偏光板５３に入射したときは、偏光板５３は直接光Ｌ５を透過光Ｌ１，Ｌ２，Ｌ３と同じ偏光特性を有する光のみに偏光する。これにより、直接光Ｌ５は５０％以下に軽減される。加えて、偏光板５３を透過した直接光Ｌ５のうち、太い破線８６で示される範囲にあたるものは、ここで吸収されて、受光部２１の受光面６６上の一方の焦点６５に集光しないので、受光部２１によって検知される直接光Ｌ５はさらに低減される。
【００２９】
液晶表示パネル３に入射する外光のうち、画像表示面３７で反射する外光（以下適宜、反射光という）Ｌ６は部分的に偏光されている。反射光Ｌ６が偏光される量は、画像表示面３７の材質や外光Ｌ６の入射角度によって異なり、本実施例では、ブリュースター角を利用して反射光Ｌ６が偏光板５３を透過するのを防止している。屈折率ｎの物体の表面に対し入射角θで外光が入射する場合に、屈折率ｎと入射角θとが特にｔａｎθ＝ｎの関係にあるとき、外光の反射光に含まれる物体の表面に対して垂直な振動方向の偏光成分はほとんどゼロになるが、このときの入射角θをブリュースター角という。画像表示面３７はガラス面（屈折率＝約１．５）であるので、外光Ｌ６の入射角度が約５６．３度のとき、画像表示面３７での反射光Ｌ６に含まれる、画像表示面３７に垂直な振動方向の偏光成分の反射率がほとんどゼロになる。この約５６．３度がガラス面に対する外光のブリュースター角である。
【００３０】
具体的には、画像表示面３７に入射する外光Ｌ６の入射角度とガラス面（すなわち画像表示面３７）に対して垂直な振動方向の偏光成分の反射率との関係は、図７の曲線グラフ（ｂ）に示すように、入射角度が４５度ないし６５度のとき、画像表示面３７に対して垂直な振動方向の偏光成分の反射率は非常に小さくなり、そして、入射角度が５０度ないし６０度のとき、画像表示面３７に対して垂直な振動方向の偏光成分の反射率はほぼゼロになる。すなわち、外光Ｌ６の入射角度が５０度ないし６０度のとき、図７の曲線グラフ（ａ）に示すように、反射光Ｌ６の偏光成分はほとんど全てガラス面（すなわち画像表示面３７）に対して平行な振動方向の偏光成分となる。透過光Ｌ１，Ｌ２，Ｌ３は、画像表示面３７に対して垂直方向に偏光されているので、採光窓１３に配設される偏光板５３を透過する。一方、入射角度が５０度ないし６０度のとき、透過光Ｌ１，Ｌ２，Ｌ３と異なる偏光特性を有する（すなわち、画像表示面３７に対して平行な振動方向の偏光成分のみを有する）反射光Ｌ６は偏光板５３を透過しない。
【００３１】
透過光Ｌ１，Ｌ２，Ｌ３は反射光Ｌ６と反対に、画像表示面３７に対して２５度ないし５５度の範囲８７、とくに３０度ないし４０度で他方の焦点７５を透過することが好ましい。前述の通り、この範囲８７の透過光Ｌ１，Ｌ２，Ｌ３は、偏光板５３を透過し、反射面８５で反射され、受光部２１の受光面６６上の一方の焦点６５に到達するが、同じ範囲８７に含まれる反射光Ｌ６、すなわち、他方の焦点７５に入射角４５度ないし６５度で入射する外光の反射光Ｌ６は、偏光板５３を透過しにくく、ここで遮られる。
【００３２】
なお、前述の範囲８７に含まれない反射光Ｌ７，すなわち、他方の焦点７５に４５度ないし６５度の入射角以外の角度で入射する外光の反射光には、図７の曲線グラフ（ｂ）に示すように、画像表示面３７に対して垂直な振動方向の偏光成分が含まれているので、このような反射光Ｌ７がセンサ基板２３等で遮られることなく偏光板５３に入射した場合は偏光板５３を透過することになるが、反射面８５にはあたらず、太い破線８６で示す範囲にあたるため、受光部２１の受光面６６上の一方の焦点６５に到達することはない。すなわち、受光部２１によって検知されない。
【００３３】
実施例に記載の発明によれば、液晶表示パネル３を支持するフロントベゼル５には採光部７が配設され、採光部７は透過光を取り入れる開口部３１を有する。開口部３１内には、透過光を検知する受光部２１と、アルミニウム膜８３が蒸着された楕円面６３を有する楕円ミラー５５が備えられる。楕円面６３には、一方の焦点６５が受光部２１の受光面６６に設けられ、他方の焦点７５が液晶表示パネル３上の一点に設けられているので、液晶表示パネル３を透過した光のうち、焦点を形成する一点を透過した光のみが楕円ミラー５５によって反射され、受光部２１の受光面６６に入射する。これにより、液晶表示パネル３の画像表示面３７を隠さずに、かつ外光の影響を極力排除して画像表示面３７の輝度や色を測定できる。
【００３４】
実施例に記載の発明によれば、採光部７は、その採光窓１３の端部が液晶表示パネル３上で画像が表示される画像表示面３７よりも外側に配設される。これにより、画像表示面３７の輝度や色を測定する際に、液晶表示パネル３の画像表示面３７が隠される恐れがなくなる。
【００３５】
実施例に係る発明によれば、採光部７内には、液晶表示パネル３を透過した光を透過する偏光特性を有する偏光板５３を配設することが好ましい。これにより、偏光板５３は液晶表示パネル３を透過した光を透過するが、液晶表示パネル３を透過した光と異なる偏光特性を有する外光を透過しない。これにより、楕円ミラー５５によっては排除しきれない外光、すなわち液晶表示パネル３上の他方の焦点７５で反射して受光部２１の受光面６６上の一方の焦点６５に入射する外光の影響を極力排除して画像表示面３７の輝度や色を測定できる。
【００３６】
この発明は、上記実施形態に限られることはなく、下記のように変形実施することができる。
【００３７】
（１）上述した実施例では、楕円ミラー５５は回転楕円体６１の楕円面６３の一部であるが、本発明はこれに限定されず、図８のように楕円柱９１の楕円面６３の一部で構成してもよい。なお、図８は、変形例に係る楕円ミラーの楕円面を説明するための別の模式図である。
【００３８】
（２）上述した実施例では、フロントベゼル５と採光部７とは別々に構成されるが、本発明はこれに限定されず、フロントベゼル５と採光部７とが一体の構成でも構わない。この場合、採光窓１３やプラスチック部材１９やセンサ基板２３はフロントベゼル５内に一体的に設けられ、蓋部１５は不要である。この構成によると、部品点数を少なくでき、コストを低減できる。
【００３９】
（３）上述した実施例では、採光窓１３に配設される遮蔽部材５１と楕円ミラー５５との間には偏光板５３が配設されるが、本発明はこれに限定されず、偏光板５３は遮蔽部材５１の外側に配設されてもよい。さらに、偏光板５３が配設されない構成でも構わない。これは、楕円ミラー５５の性質により、液晶表示パネル３上の他方の焦点７５以外から反射する反射光は採光部７内に入射しにくいからである。
【００４０】
（４）上述した実施例では、楕円ミラー５５はプラスチック層８１とアルミニウム膜８３とで構成され、アルミニウム膜８３の周囲は空気層であったが、本発明はこれに限定されるものではなく、空気層の代わりに光透過性の樹脂、アクリル樹脂が充填されたものであってもよい（以下、これを楕円レンズと呼ぶ）。楕円レンズの場合、アクリル樹脂がアルミニウム膜８３を保護するので、アルミニウム膜８３に空気中の塵芥が付着してアルミニウム膜８３の反射率が低下するのを抑制することができる。また、楕円レンズの場合、アクリル樹脂が偏光板５３の補強材としての機能も有する。このように、楕円レンズは採光窓１３に配設される遮蔽部材５１と同様の機能を有するので、楕円レンズを採用する場合、採光窓１３に遮蔽部材５１を配設しなくてもよい。
【００４１】
（５）上述した実施例では、採光部７がフロントベゼル５に内蔵される構成を例に採って説明したが、本発明はこれに限定されるものではなく、図９に示すように、測光装置１０１をフロントベゼル５に着脱可能に取り付ける構成であってもよい。なお、図９は、変形例に係る測光装置を備える液晶表示装置の概略構成を説明する外観斜視図である。この場合の一例として、測光装置１０１は、液晶表示パネル３を透過した光を取り入れる開口部３１を有する筺体１０３が図示されない取付部、例えばフロントベゼル５の表面と筺体１０３とに配設される鍵穴と鍵爪を介して液晶表示パネル３を支持するフロントベゼル５に配設される。筺体１０３の開口部３１内の構成は本実施例と同様であるので、重複記載を避けるため省略する。これにより、フロントベゼル５に対して着脱可能な測光装置１０１においても、液晶表示パネル３の画像表示面３７を隠さずに、かつ外光の影響を極力排除して画像表示面３７の輝度や色を測定できる。なお、上述した測光装置１０１はこの発明の測光装置に相当し、上述した筺体１０３はこの発明の筺体に相当する。
【００４２】
（６）上述した実施例では、透過型の表示パネルとして透過型の液晶表示パネル３を例に採って説明したが、本発明はこれに限定されるものではなく、透過型の表示パネルであれば本発明を適用することができる。例えば、透過型の液晶表示パネル３に代えて透過型のＭＥＭS（microelectro mechanical systems）を採用してもよい。
【符号の説明】
【００４３】
３          …  液晶表示パネル
５          …  フロントベゼル
３１        …  開口部
２１        …  受光部
５５        …  楕円ミラー
６５        …  一方の焦点
６６        …  受光面
７５        …  他方の焦点
８１        …  プラスチック層
８３        …  アルミニウム膜
８５        …  反射面
Ｌ１〜Ｌ４  …  透過光
Ｌ５        …  外光（直接光）
Ｌ６，Ｌ７  …  外光（反射光）
【図１】
2011095600.tif 000003
【図２】
2011095600.tif 000004
【図３】
2011095600.tif 000005
【図４】
2011095600.tif 000006
【図５】
2011095600.tif 000007
【図６】
2011095600.tif 000008
【図７】
2011095600.tif 000009
【図８】
2011095600.tif 000010
【図９】
2011095600.tif 000011